(57)【要約】  工具の長手軸に沿って配置された動力伝達系組立体（１００）と、動力伝達系組立体を収容するようになっているハウジング（１０）と、保持リング（２０）とを備える手持ち式電動工具（１）が提供され、ハウジングは、組み立てられると、実質的に円形断面を有する円錐形外面部（１０ａ）を含むハウジング（１０）を形成するようになっている第１の部分（１１）及び第２の部分（１２）を備え、保持リングは、内面（２１）を備え、内面は、円錐形外面部（１０ａ）と協働するようになっている円錐形内面部（２１ａ）を備え、円錐形内面部（２１ａ）及び円錐形外面（１０ａ）が互いに対して軸方向に変位すると、リングによって半径方向力が第１及び第２のハウジング部分に作用し、これによって、第１及び第２のハウジング部分が押し付けられるようになっている。【選択図】図２
2021530365.tif 000002
【特許請求の範囲】
【請求項１】
工具の長手軸に沿って配置された動力伝達系組立体（１００）と、前記動力伝達系組立体を収容するようになっているハウジング（１０）と、保持リング（２０）とを備える手持ち式電動工具（１）であって、
前記ハウジングは、組み立てられると、実質的に円形断面を有する円錐形外面部（１０ａ）を含むハウジング（１０）を形成するようになっている第１の部分（１１）及び第２の部分（１２）を備え、
前記保持リングは、内面（２１）を備え、前記内面は、前記円錐形外面部（１０ａ）と協働するようになっている円錐形内面部（２１ａ）を備え、前記円錐形内面部（２１ａ）及び前記円錐形外面部（１０ａ）が互いに対して軸方向に変位すると、前記リングによって半径方向力が前記第１及び第２のハウジング部分に作用し、これによって、前記第１及び第２のハウジング部分が押し付けられるように構成されている、
ことを特徴とする電動工具。
【請求項２】
前記ハウジングは、第１の端部を有し、前記外面部（１０ａ）は、前記第１の端部に形成され、前記実質的に円形の外面部（１０ａ）は、組立ハウジングの第１の端部開口を形成するように構成されている、
請求項１に記載の手持ち式電動工具。
【請求項３】
前記第１の端部は、前記手持ち式電動工具の遠位端（Ｄ）である、
請求項２に記載の手持ち式電動工具。
【請求項４】
ユーザーによって把持されるようになっているハンドル部（Ｐ）をさらに備え、前記ハンドル部は、前記円錐形外面部に隣接して配置される、
請求項２ないし４のいずれか１項に記載の手持ち式電動工具。
【請求項５】
前記ハウジングの前記第１及び第２の部分は、前記ハウジングの第１及び第２の半部分を形成し、前記第１及び第２の半部分は、長手方向中心線に平行な平面での断面によって定められる、
請求項１から４のいずれか１項に記載の手持ち式電動工具。
【請求項６】
前記保持リングの前記内面は、ねじ山（２２）をさら備える、
請求項１から５のいずれか１項に記載の手持ち式電動工具。
【請求項７】
前記動力伝達系組立体に結合されたねじ付きスリーブ（３０）をさらに備え、前記ねじ付きスリーブは、前記保持リングの前記内面の前記ねじ山と協働するようになっているねじ山（３１）を備える、
請求項６に記載の手持ち式電動工具、
【請求項８】
前記ねじ付きスリーブは、前記組立ハウジングの端部開口を少なくとも部分的に貫通して延びるように構成されている、
請求項７に記載の手持ち式電動工具。
【請求項９】
前記ハウジングの前記第１及び第２の部分のうちの少なくとも一方は、前記部分の内面に配置されたピン（１１１、１１２）を備え、前記動力伝達系組立体は、外側スリーブ（１１０）を備え、前記外側スリーブは、前記ピンを受け入れるようになっている孔（１２０）を備え、前記ピンと前記孔の縁部（１２０ａ）との間の接触圧は、前記組立ハウジングと前記動力伝達系組立体との間の相対移動によってもたらすことができるようになっている、
請求項１から８のいずれか１項に記載の手持ち式電動工具。
【請求項１０】
前記組立ハウジングと前記動力伝達系組立体との間の前記相対移動は、前記ねじ付きスリーブ及び前記保持リングの相対回転によってもたらされる軸方向の相対移動である、
請求項９に記載の手持ち式電動工具。
【請求項１１】
前記ピンは、接地への電気接続をもたらすようになっている、
請求項９又は１０に記載の手持ち式電動工具。
【請求項１２】
請求項１から１１のいずれか１項に記載の手持ち式電動工具を組み立てるための組み立て方法であって、
第１のハウジング部分を準備して動力伝達系組立体を前記第１の部分の中に配置するステップと、
第２のハウジング部分を準備して前記第２の部分を前記第１の部分の上に配置し、それによって前記動力伝達系組立体を少なくとも部分的に取り囲むステップと、
保持リングを準備して前記リングと前記組立ハウジングとの間の軸方向変位をもたらし、それによって、前記ハウジングの第１及び第２の部分の間に半径方向力を提供して前記第１及び第２のハウジング部分を押し付けるステップと、を含む、
ことを特徴とする方法。
【請求項１３】
請求項１から１１のいずれか１項に記載の手持ち式電動工具を組み立てる組み立て方法であって、
前記動力伝達系組立体に結合されたねじ付きスリーブを準備して、前記保持リングと前記ねじ付きスリーブとの間の相対回転によって前記動力伝達系組立体とハウジングとの間に軸方向変位をもたらすステップ、をさらに含む、方法。
【発明の詳細な説明】
【技術分野】
【０００１】
本発明は、概略的には手持ち式電動工具に関し、より詳細には、ハウジング及びこのようなハウジング用の保持リングを備える手持ち式電動工具、及び、このような電動工具を組み立てる方法に関する。
【背景技術】
【０００２】
電動工具は、例えば、ねじを締結するために様々な産業で使用されていることが知られている。工具の効率及び耐久性に関する一般的な要求は別として、人間工学は、適切な電動工具を選択する際の重要な要因になっている。電動工具のオペレータは、工具を長い作業時間を通して操作する可能性があり、どんなに些細な不快感であっても主要な懸念事項になり得る。例えば、ハンドルデザインは、作業時の工具の作業性及び快適レベルに直接影響を与えるので、工具のハンドルのデザインは、効率的かつ人間工学的な作業環境をもたらす上で非常に重要であることが明らかになっている。
【０００３】
人間工学を改善するために、特別にデザインされたグリップ又はハンドル部を有する締結工具が提案されてきた。さらに、適切な摩擦レベルをもたらすためにハンドル部に特定の材料を使用することが提案されてきた。しかしながら、このようなデザインは、費用がかかる傾向があり、ハンドルに使用されたより軟質の材料は摩耗耐性に劣るので工具の耐用期間が短くなる可能性がある。
【０００４】
人間工学を改善するために、支持ハンドル又は類似のものなどの補助支持構造体を使用することも知られている。しかしながら、付加的なグリップ部、支持ハンドル、又は類似の補助構成要素を含むデザインの場合、必要以上の複雑さが電動工具自体の組み立てプロセスに加わる可能性がある。
【０００５】
特定の関心分野の１つは、ハンドルが工具の回転軸と同じ方向に延びる電動工具、例えば、直線デザインの工具であり、これはハンドルデザイン上のある特定の制約及び課題を提起する。この形式の工具の１つの例は、例えば、エレクトロニクス産業において小さなねじを締結するために一般的に使用されている形式の工具である。より詳細には、これらの工具は、通常、軽量であり、締結作業は工具を手の中で回転させる傾向があるので、反力トルクは、通常、動作シーケンスの終りにオペレータが吸収する。従って、オペレータが手で工具を把持する工具部分のデザイン及びこの部分と手との間の摩擦は、非常に重要である。
【発明の概要】
【発明が解決しようとする課題】
【０００６】
従って、電動工具のためのハンドルデザインの人間工学の分野の改善の必要性が存在する。
【課題を解決するための手段】
【０００７】
従って、改善されたハンドル部を含む改善されたハウジングを備える電動工具を提供することが望ましいであろう。特に、改善された人間工学をもたらすハンドル部を含むハウジングを有し、組み立てが容易な電動工具を提供することが望ましいであろう。これらの問題の１又は２以上に上手く対応するために、独立請求項で定義されるような電動工具及び組み立て方法が提供される。好適な実施形態は従属請求項で定義される。
【０００８】
本発明の第１の態様によれば、工具の長手軸に沿って配置された動力伝達系組立体と、動力伝達系組立体を収容するようになっているハウジングと、保持リングとを備える手持ち式電動工具を提供する。ハウジングは、組み立てられると、実質的に円形断面を有する円錐形外面部を含むハウジングを形成するようになっている第１の部分及び第２の部分を備え、保持リングは、円錐形外面部と協働するようになっている円錐形内面部を有する内面を備え、円錐形内面部及び円錐形外面が互いに対して軸方向に変位すると、リングによって半径方向力が第１及び第２のハウジング部分に作用し、これによって、第１及び第２のハウジング部分が押し付けられるように構成されている。
【０００９】
第１の態様によれば、電動工具は、第１及び第２の部分によって形成されたハウジングの外側円錐面と協働するリングの内側円錐面によって、ハウジングの第１及び第２の部分を付勢又は押し付けるようになっている保持リングを包含するデザインによって、上述の問題に対する発明性がある解決策をもたらす。より詳細には、保持リングによって、ねじ、リベット、又は類似のものなどの追加のロック手段は不要であり、実際にはこれらの要素は、保持リングによって置き換えることができるので排除又は少なくとも低減される。これは、工具のハンドル部又はその近傍に設けられるねじ又は類似のものに関しては特に重要であり、これらは、潜在的に有害な不連続部をハウジング構造体及び／又はハンドル部にもたらす可能性がある。これらの要素に取って代わる保持リングによって、これらの問題を排除することができ、ハウジング部分の滑らかで快適な固定をもたらすことができる。従って、ハウジングの人間工学及び／又は工具のハンドル部を著しく改善することができる。
【００１０】
さらに、保持リングは、人間工学が改善されるという点だけでなく、より効率的で簡便な組み立て方法が提供されるという点でも好都合である。従って、ハウジングを組み立てる際に、第１及び第２のハウジング部分は、一緒になって組立ハウジングを提供するために、軽く固定する（又は当てる）ことができ、その後、半径方向力によって第１及び第２の部分を一緒に保持するために保持リングを配置することができる。結果として、組立ハウジングは、動力伝達系組立体を収容することができる内側空洞を取り囲むことができ、このような動力伝達系組立体は、モーター、歯車、及び回転軸を含むことができる。保持リング及び協働する円錐面は、好ましくは、それぞれの円錐面が互いに対して移動するときに作用する半径方向力がハウジングを一緒に保持するのに十分に大きいようになっている。すなわち、力はねじ又は当技術分野で一般的に使用される類似のものに相当する。半径方向力は、少なくとも半径方向の成分、すなわち、保持リングの、従ってハウジングの円錐形部分の半径方向の成分を有する力と理解されたい。一部の実施形態において、リングは、さらに、対比色又は表面模様を有するリング外側上の要素などの、別の要素を保持するように適合させることができる。
【００１１】
工具は、一般に、ハウジングを結合する手段が一般に工具のハンドル部に又はその近くに配置される形式の工具である。このような工具の例は、直線工具を含み、ここでは程度の差はあるが、円筒形のハンドル部が、工具の端部に設けられ、ハウジングは、一般的に少なくとも第１及び第２の端部で適切な手段によって結合される。このような工具において、当技術分野で知られているようにハウジングを結合する留めねじを工具の端部に設けると、ユーザーには工具の重量を支えるだけでなく、反力トルクを吸収する際に一般的に手に対して工具の回転が加わるので、手に相当心地良くない場合がある。従って、第１の態様による本発明の保持リングによってこのようなねじを排除することは、非常に好都合である。１つの好都合な実施形態において、電動工具は、小さなねじを締結する手持ち式電動工具である。例えば、このような工具は、ねじのピッキングを容易にするために真空を工具の第１の端部に（又は第１の端部に）供給するための内部真空経路又はホースを含み、このような工具に関して、ハウジングの第１及び第２の部分との間に適切な十分に緊密なシールを提供することは、真空を漏洩なく効率的に加えることができる点で特に好都合とすることができる。しかしながら、当業者は、何らかの他の形式の電動工具も本発明の範囲にあると考えられることを認識している。一部の実施形態において、工具は、電動工具を制御するように作動する制御装置をさらに備えるか又はこの制御装置に接続可能とすることができる。１つの実施形態において、電動工具は、例えば、１〜５０ｃＮｍの範囲又は１〜２５ｃＮｍの範囲の低い締付けトルクを提供する工具である。
【００１２】
１つの実施形態によれば、ハウジングは、第１の端部を有し、外面部は、第１の端部に形成され、実質的に円形の外面部分は、組立ハウジングの第１の端部開口を形成するようになっている。これによって、ハウジングの第１の部分及び第２の部分の各々は、部分的に円形の円錐形端面を備えることができ、これらの端面は、一緒になって実質的に円形の端部開口を形成するようになっている。
【００１３】
１つの実施形態によれば、第１の端部は、電動工具の遠位端である。遠位端とは、工具又はハウジングの前端、すなわち、工具前端のビット及び工具のビットホルダーにより近接して配置されたハウジングの端部と理解されたい。
【００１４】
１つの実施形態によれば、電動工具は、ユーザーによって把持されるようになっているハンドル部をさらに備え、ハンドル部は、円錐形外面部に隣接して配置される。例えば、円錐形外面は、ハウジングの遠位端又は前端開口を成すことができ、ハンドル部は、前端に又はそれに隣接して設けることができる。これによって、ねじ又は類似のものを手が工具を把持する位置で排除するという有益な効果は非常に重要である。
【００１５】
１つの実施形態によれば、ハウジングの第１及び第２の部分は、ハウジングの第１及び第２の半部分を形成し、第１及び第２の半部分は、長手方向中心線を通る断面によって定められる。これによって、工具の構成要素を配置する必要がある第１及び第２の半部分によって定められたハウジングの空洞へ都合良くアクセスできるので、工具の組み立てが容易になる。例えば、動力伝達系組立体又は他の構成要素は、組み立て時に、ハウジングの第１の半部分の中に好都合に配置することができ、その後、第２の半部分は、ほぼ最終的に組み立てられた構造体上にカバーとして配置することができる。
【００１６】
１つの実施形態によれば、保持リングの内面は、ねじ山をさらに備える。このようなねじ山は、円錐面自体上に、又は内面の別個のねじ山部分上に設けることができる。一部の実施形態において、このねじ付けされた部分は、円筒面部分とすることができる。一部の実施形態は、差し込みカップリング又はスナップ作動カップリングなどのクイックカップリングを備えることができる。一部の実施形態において、第１及び第２のハウジング部分は、保持リングの内面のねじ山と協働するようになっているねじ山を備えることができる。
【００１７】
１つの実施形態によれば、電動工具は、動力伝達系組立体に結合されたねじ付きスリーブをさらに備え、ねじ付きスリーブは、保持リングの内面のねじ山と協働するようになっているねじ山を備える。これは、動力伝達系に結合されるスリーブが、ねじ付きスリーブと保持リングとの協働を利用して動力伝達系を正しい位置に配置する手段として使用できるという、本発明の別の機能性を提供することができる点で特に好都合である。従って、リングが回転の初期段階でスリーブ上にねじ込まれると、リング及びハウジングの円錐面は、軸方向に変位し、ハウジング部分は生成された軸方向の力によって押し付けられる。しかしながら、その間で最大の係合が得られ、リングとハウジングとの間の軸方向の相対移動が終了すると、代わりに、リングとスリーブとの相対回転は、スリーブ、従って、動力伝達系組立体と保持リングとの間の軸方向の相対移動に変換されるので、動力伝達系組立体をハウジングに対して正しい位置に引き込むことができる。従って、この回転の第２の段階時の相互作用は、保持リングが円錐面の間の最大係合に起因して軸方向の固定位置に保持されるので動力伝達系組立体の直線運動をもたらす、直線アクチュエータのようなものと説明することができる。
【００１８】
１つの実施形態によれば、ねじ付きスリーブは、組立ハウジングの端部開口を少なくとも部分的に貫通して延びるようになっている。これによって、スリーブのねじ付き部へのアクセスが容易になる。さらに、特に、円錐形外面部分が組立ハウジングの第１の端部開口を形成する実施形態において、スリーブは、前端開口を貫通して延びることができ、動力伝達系は、上述のように保持リングによって前方に変位させることができる。
【００１９】
１つの実施形態によれば、ハウジングの第１及び第２の部分のうちの少なくとも一方は、この部分の内面に配置されたピンを備え、動力伝達系組立体は、外側スリーブを備え、外側スリーブは、ピンを受け入れるようになっている孔を備え、ピンと孔の縁部との間の接触圧は、組立ハウジングと動力伝達系組立体との間の相対移動によってもたらすことができるようになっている。換言すると、ピン及び孔は、ハウジング及び動力伝達系が相対的に変位したときに動力伝達系組立体とハウジングとの間の点又は接触区域、すなわち接続部をもたらす。接触点が確立された後、接触圧は相対移動が増加するに従って高くなることができる。１つの実施形態において、スリーブは、２つの孔を備え、ハウジングは、２本のピンを備える。孔は、スリーブの反対側に（すなわち、１８０°離れて）設けることができる。
【００２０】
１つの実施形態によれば、組立ハウジングと動力伝達系組立体との間の相対移動は、ねじ付きスリーブ及び保持リングの相対回転によってもたらされる軸方向の相対移動である。従って、例えば、保持リングは、上述のように動力伝達系組立体に取り付けられたねじ付きスリーブと協働することができ、孔が設けられた外側スリーブを含む動力伝達系は、上述のように（ピンを含む）ハウジングに対して軸方向に変位するようになっている。これは、少なくとも１つのピンが接地との電気接続をもたらすようになっている実施形態では特に好都合である。従って、保持リングの回転から生じる相対的な軸方向変位によって達成される接触圧は、動力伝達系のスリーブとピンとの間のしっかりした安定した電気的接触を可能にするので、工具及び／又は動力伝達系組立体のための適切な接地への接続が保証される。
【００２１】
本発明の第２の態様によれば、上述した実施形態のいずれかによる電動工具を組み立てるための組み立て方法が提供される。この方法は、第１のハウジング部分を準備して動力伝達系組立体を第１の部分の中に配置するステップと、第２のハウジング部分を準備して第２の部分を第１の部分の上に配置し、それによって動力伝達系組立体を少なくとも部分的に取り囲むステップと、保持リングを準備してリングと組立ハウジングとの間の軸方向変位をもたらし、それによって、ハウジングの第１及び第２の部分の間に半径方向力を提供して第１及び第２のハウジング部分を押し付けるステップと、を含む。
【００２２】
これにより、電動工具の効率的な組み立てが達成され、組み立て時に、第２の半部分をほぼ最終的に組み立てられた構造体上にカバーとして配置する前に、工具の構成要素を好都合に配置することができるハウジングの第１の半部分によって定められた空洞への都合の良いアクセスを可能にすることができ、保持リングを用いて適切な保持又はロックが好都合に提供される、ハウジングのデザインが好都合に可能になる。組み立て方法は、手動で又は必要であれば軸方向変位をもたらす適切な工具によって実行することができる。
【００２３】
１つの実施形態によれば、組み立て方法は、動力伝達系組立体に結合されたねじ付きスリーブを準備して、保持リングとねじ付きスリーブとの間の相対回転によって動力伝達系組立体とハウジングとの間に軸方向変位をもたらすステップをさらに含む。これによって、上述のように、スリーブは、動力伝達系に結合されるので、スリーブと保持リングとの相互作用によってハウジングに対して動力伝達系を位置決めする手段として使用することができるという点でさらに別の発明性がある機能性を提供することができる。
【００２４】
本発明のさらなる目的、特徴、及び利点は、以下の詳細な開示、図面、及び特許請求の範囲を検討すると明らかになるはずである。当業者は、本発明の様々な特徴を組み合わせて、以下で説明するもの以外の実施形態を作り出し得ることを認識している。
【００２５】
本発明は、添付図面を参照して、以下の例示的な実施形態の例示的かつ非限定的な詳細な説明で説明することになる。
【図面の簡単な説明】
【００２６】
【図１】１つの実施形態による電動工具の斜視断面図である。
【図２】１つの実施形態による電動工具の部品の断面図である。
【発明を実施するための形態】
【００２７】
図面は概略的であり、必ずしも縮尺通りではなく、全体的に本発明を説明するために必要な部品のみを示し、他の部品は省略されるか又は単に示唆される場合がある。
【００２８】
図１には、１つの実施形態による、ハウジング１０及び保持リング２０を備える電動工具１が断面図で示されている。断面図なのでハウジング１０の第１の部分１１のみが示されている。図１の断面は、工具の長手方向中心線に平行な平面での断面であり、ハウジング１０は、実質的に二つに分割されており、例示する第１の部分１１はハウジング１０の第１の半部である。動力伝達系組立体１００は、概略的に示されておりハウジングの第１の部分１１に配置されている。動力伝達系組立体１００は、モーター、歯車装置（図示せず）、及び上記工具の中心線（図示せず）に沿って延びる軸を備えている。ハンドル部Ｐは、保持リング２０に隣接して工具１の端部に配置されている。
【００２９】
図２に参照すると、ハウジング１０は、断面でより詳細に示されており、ハウジング、詳細にはハウジングの部分１１又は１２、保持リング２０、及び概略的に示される動力伝達系組立体１００を含む。以下、この部分は第1の部分11と呼ぶ。上述したように、ハウジング１０の第１の部分１１は、第２の部分１２（図示せず）と共に組立ハウジングを形成するようになっている。ハウジング１０は、ハウジングの第１及び第２の部分１１、１２の対応する円錐形外面によって形成された、実質的に円形断面を有する円錐形外面部（１０ａ）を備える。従って、ハウジングの第１及び第２の部分１１、１２の円錐形外面の各々は、円錐形外面１０ａを構成するために半円形断面を有することになる。
【００３０】
次に、保持リング２０は、円錐形外面部１０ａと協働するようになっている円錐形内面部２１ａを有する内面２１を備える。これによって、円錐形内面部２１ａ及び円錐形外面１０ａが互いに対して軸方向に変位すると、リング２０によって半径方向力が第１及び第２のハウジング部分１１、１２に作用し、その結果、第１及び第２のハウジング部分は押し付けられる。ユーザーが把持するようになっているハンドル部Ｐは、工具１の同じ端部に、すなわち表面１０ａに隣接して配置されている。
【００３１】
組み立て時、動力伝達系組立体１００は、ハウジングの第１の部分１１の中に配置することができ、従って、第２のハウジング部分１２（図示せず）は部分１１の上に配置することができ、従って、この動力伝達系組立体１１０は少なくとも部分的に取り囲まれ、それによって、円錐形外面１０ａを含む組立ハウジング１０も形成される。その後、第１及び第２の部分１１、１２を押し付ける半径方向力をもたらすために、保持リング２０を表面の１０ａに隣接して配置した後に表面の１０ａに対して軸方向に変位させることができる。例示的な実施形態において、保持リング２０は、円錐面２１ａに比べて工具１の遠位端に接近して配置された内面２１の円筒形部分上に設けられたねじ山２２をさらに備える。ねじ山２２は、動力伝達系組立体１００に結合されて表面１０ａによって定められたハウジング１０の端部開口を貫通して延びる、ねじ付きスリーブ３０のねじ山３１と協働するようになっているので、例えば、組み立て時、リング２０が回転の初期段階でスリーブ上にねじ込まれると、リング２０及びハウジング１０の円錐面２１ａ、１０ａは、軸方向に変位し、ハウジング部分は、上述のように生成された軸方向の力によって押し付けられる。
【００３２】
しかしながら、その間で最大の係合が得られ、リング２０とハウジング１０との間の軸方向の相対移動が終了すると、代わりに、リング２０とスリーブ３０との相対回転は、スリーブ３０、従って、動力伝達系組立体１００と保持リング２０との間の軸方向の相対移動に変換されるので、動力伝達系組立体１００をハウジングに対して正しい位置に引き込むことができる。追加の機能性を提供するために、図２の示す実施形態の動力伝達系組立体１００は、外側スリーブ１１０をさらに備え、この外側スリーブは、２つの孔１２０ａ、１２０ｂを含む。これらの孔は、ハウジング１０が備えるピン１１１、１１２を受け入れるようになっており、ピン１１１、１１２と孔１２０ａ、１２０ｂのそれぞれの縁部との接触によって、それらの間で接続を確立することができる。この接触は、実際には、リング２０のねじ山及びリング３０のねじ山３１は上述のように協働するので、スリーブ３０がリング２０に対して軸方向に変位したときに確立される。ピン１１１、１１２並びに孔１２０ａ、１２０ｂの縁部は導電性であり、ピン１１１、１１２を接地に接続する電気接続がもたらされるので、ピンと孔１２０ａ、１２０ｂとの間の接続は、動力伝達系組立体のための接地への接続をもたらすために利用される。
【００３３】
本発明は図面及び前述の説明において詳細に例示され説明されているが、このような例示及び説明は、例示的又は実例であり制限的ではないものとみなされ、本発明は、開示された実施形態に限定されない。当業者であれば、多くの変更例、変形例、及び変更例が特許請求の範囲に定義される範囲で考えられることを理解できる。加えて、開示された実施形態の変形例は、図面、明細書、及び特許請求の範囲を考察することで、クレームされた発明を実施する際に当業者が理解して実施することができる。特許請求の範囲において、用語「備える」は、他の要素又はステップを除外するものではなく、複数形ではない名詞は、複数を除外するものではない。特定の手段が互いに異なる従属請求項に記載されているという単なる事実は、これらの手段の組み合わせを、利益をもたらすために用いることができないことを示すものではない。特許請求の範囲の何らかの参照符号は、特許請求の範囲の範囲を制限すると解釈するべきではない。
【図１】
2021530365.tif 000003
【図２】
2021530365.tif 000004
【国際調査報告】
2021530365.tif 000005
2021530365.tif 000006